(57)【要約】      （修正有）【課題】表面に鮮明な表示画像を有し、軽量でフロアマットにできる床マットまた表示用媒体や宣伝広告用媒体である壁マットを形成するターポリンマットを提供する。【解決手段】ゴム４ｂもしくはエラストマー４ｃからなるベース基材４と、ベース基材４の周辺の外縁部５内に嵌合載置した合成樹脂シートおよび編物もしくは織物からなるターポリンシート６もしくはフィルムと、ターポリンシート６もしくはフィルムの表面を保護する透明なポリ塩化ビニルシート１１ａからなる保護シート１１を一体的に構成する。【選択図】図３
0003155245.tif 000002
【実用新案登録請求の範囲】
【請求項１】
玄関マットまたはフロアマットなどの床マット（２）もしくは表示用媒体または広告宣伝用媒体などの壁マット（３）であるターポリンマット（１）において、ゴム（４ｂ）もしくはエラストマー（４ｃ）を基材としたベース基材（４）と、ベース基材（４）に載置した合成樹脂シート（８）および編物（１０ａ）もしくは織物（１０ｂ）からなるターポリンシート（６）と、ターポリンシート（６）の表面を保護する透明なポリ塩化ビニルシート（１１ａ）からなる保護シート（１１）を一体的に構成したことを特徴とする床マット（２）もしくは壁マット（３）を形成するターポリンマット（１）。
【請求項２】
玄関マットまたはフロアマットなどの床マット（２）もしくは表示用媒体または広告宣伝用媒体などの壁マット（３）であるターポリンマット（１）において、ゴム（４ｂ）もしくはエラストマー（４ｃ）を基材としたベース基材（４）と、ベース基材（４）の表面上の周囲の外縁部（５）内のベース基材（４）の凹入部（４ａ）に嵌合載置した合成樹脂（８）および編物（１０ａ）もしくは織物（１０ｂ）からなるターポリンシート（６）と、ターポリンシート（６）の表面を保護する透明なポリ塩化ビニルシート（１１ａ）からなる保護シート（１１）を一体的に構成したことを特徴とする床マット（２）もしくは壁マット（３）を形成するターポリンマット（１）。
【請求項３】
請求項１または２に記載の考案において、ターポリンシート（６）は地色が有色であり、有色のターポリンシート（６）の表面を所望の印刷面（９）とし、ゴム（４ｂ）あるいはエラストマー（４ｃ）からなるベース基材（４）の色をターポリンシート（６）の地色と同一の色とし、あるいはベース基材（４）の表面上の周囲に外縁部（５）を有し、外縁部（５）の内側のベース基材（４）の凹入部（４ａ）にターポリンシート（６）を有するものでは、ベース基材（４）の周辺の外縁部（５）の内周端面（５ａ）とターポリンシート（６）の外周端面（６ａ）との隙間（７）を同一の色から形成し、もしくは、ターポリンシート（６）とゴム（４ｂ）もしくはエラストマー（４ｃ）からなるベース基材（４）の加硫による一体成型にてゴム（４ｂ）もしくはエラストマー（４ｃ）からなるベース基材（４）の外縁部（５）の内周端面（５ａ）とターポリンシート（６）の外周端面（６ａ）との隙間（７）を無くした構成とし、ターポリンシート（６）の表面の印刷面（９）を保護する透明なポリ塩化ビニルシート（１１ａ）からなる保護シート（１１）とから一体的に構成したことを特徴とする床マット（２）もしくは壁マット（３）を形成するターポリンマット（１）。
【請求項４】
請求項３に記載の考案において、ターポリンシート（６）の表面の印刷面（９）を保護する透明なポリ塩化ビニルシートシート（１１ａ）からなる保護シート（１１）は、表面を艶消しに形成していることを特徴とする床マット（２）もしくは壁マット（３）を形成するターポリンマット（１）。
【請求項５】
請求項４に記載の考案において、ターポリンシート（６）の表面の印刷面（９）を保護する透明なポリ塩化ビニルシート（１１ａ）からなる表面を艶消しに形成した保護シート（１１）に替えて、ターポリンシート（６）の表面の印刷面（９）を保護する透明なポリ塩化ビニルシート（１１ａ）からなる保護シート（１１）は、表面に０．１ｍｍ以上のエンボス状の凹凸（１１ｂ）を形成した表示面として、ターポリンシート（６）の表面の印刷面（９）の文字（９ａ）もしくは図柄（９ｂ）からなる画像を立体的に表示せしめたことを特徴とする床マット（２）もしくは壁マット（３）を形成するターポリンマット（１）。
【考案の詳細な説明】
【技術分野】
【０００１】
この考案はフィラメント糸を用いて製造した編物や織物に合成樹脂フィルムで被覆したターポリンからなるシート（以下、「ターポリンシート」という。）をゴムまたはエラストマーからなるベース基材に載置して形成した床敷き用の床マットや壁掛け用の壁マット（以下、床マットや壁マットを「ターポリンマット」という。）に関する。
【背景技術】
【０００２】
従来の床敷用である床マットの多くは、基布にパイル糸がタフトすなわち綴じ糸で綴じられたマットを使用し、そのマットの表面にインクジェットなどによって印刷が行われている。しかし、本来、パイルがタフトされた床マットは、靴底もしくは履物の裏面の汚れを拭い取ることを目的としており、その使用頻度によってその度毎に洗濯を余儀なくされている。
【０００３】
ところで、表面に表示部を有する床敷用である床マットでは、例えばパイルから形成したマットに昇華転写印刷（例えば、特許文献１参照。）したり、反応性染料を染料噴射装置により印刷したり（例えば、特許文献２参照。）、スクリーンプリントによって絵柄をプリントしたり（例えば、特許文献３参照。）するなどのように、パイルから形成したマットへ直接印刷したものが開示されている。
【０００４】
さらに、マット本体の表面に表示部材を有するものとしては、加圧転写シートによるもの（例えば、特許文献４参照。）、表示部材の取り外しが可能な方式としたマット（例えば、特許文献５、特許文献６、特許文献７、特許文献８参照。）がそれぞれ開示されている。
【０００５】
また、模様の印刷された不織布層の表面を保護するために、樹脂シートを表面に有するフロアマットが開示されている（例えば、特許文献９参照。）。
【０００６】
さらに、マットを形成するフィルムまたはシートなどに絵柄や模様を印刷し、このフィルムまたはシート上に油分を弾くコーティング層を設けたマットが開示されている（例えば、特許文献１０参照。）。
【０００７】
さらに、ターポリンシートに印刷したものが開示されている（例えば、特許文献１１、特許文献１２参照。）。
【０００８】
このターポリンシートは、編物や織物を合成樹脂シートで挟んだ構造からなり、柔軟性を有し、伸縮の少ない構造となっている。そのために、テントや表面に文字や図柄が印刷された横断幕や文字や図柄を有する広告媒体として、これらのターポリンシートに張力を加えた状態で使用するものとされている。また、ターポリンは表面が合成樹脂フィルムで構成されていることよりインクなどによる印刷にも適しており、鮮明な印刷が可能となっている。しかし、張力の無い状態で使用すると、皺などが生じるために表示媒体である表現体としては、不十分なものになってしまう。さらに、床マットなどの敷物として使用する場合、端部の解れ防止処置を必要とし、あるいはこのもの自体に張力を持たせるか、もしくは裏面に接着力を付与してそれを載置する基盤に接着させることが必要である。このために、ターポリンシートには、さらに何らかの付随的な構造を設けることが必要である。
【０００９】
一方、従来のタフトされたパイルまたは不織布に印刷して形成した床マットは、履物の裏面の汚れを拭き取ることを目的としている。そこで、上述したように、床マットは使用頻度によってはその都度に洗濯することが余儀なくされている。さらに、野外などに設置した場合には、雨などに曝されて色落ちなどが発生するので、床マットの表面に印刷などで設けた表示部の表示画面を維持し続けるためには、十分な構造とは言えない。そこで、これらの色落ちなどを防止するために、さらにこの床マットになんらかの２次加工を施して色落ちなどを防止している。しかし、このために床マットはコスト高となり生産性は良好とは言えない状況である。
【００１０】
さらに、床マットを大きな面積のフロアマットとして使用する場合、不織布を用いた床マットおよびパイル糸をタフトして形成したフロアマットは、厚みが厚く、重量が重い。このために、フロアマットの敷設に多くの時間を必要とし、敷設作業が容易でない。さらに、印刷した印刷面を有するターポリンシートをコーティング層で保護している床マットでは、コーティング層の磨耗によって耐久性に難があり、人の多い箇所に設置する用途には適さないものとなっている。
【先行技術文献】
【特許文献】
【００１１】
【特許文献１】登録実用新案第３１０６６８０号公報
【特許文献２】特表２００５−５２９６９５号公報
【特許文献３】特開平９-１９３５７号公報
【特許文献４】特開平７−８４３８号公報
【特許文献５】登録実用新案第３０８８４１号公報
【特許文献６】実開平７−１４４７２号公報
【特許文献７】特開２００７−３２２８２８号公報
【特許文献８】特開平１１−１０９９０１号公報
【特許文献９】特開平１０−１６６９２３号公報
【特許文献１０】特開平１１−２６６９９５号公報
【特許文献１１】特願平１０−７３４６４号公報
【特許文献１２】特開平５−２００９５０号公報
【考案の概要】
【考案が解決しようとする課題】
【００１２】
本考案が解決しようとする課題は、室内、室外に関係なく、長時間にわたって表面に鮮明に印刷した表示画像を保持でき、かつ、軽量で大面積の敷物用のフロアマットとすることもできる床マットとして使用でき、また表示用媒体や宣伝広告用媒体として壁掛け用の壁マットとして使用でき、しかも、製造時の作業性および生産性に優れた床マットもしくは壁マットであるターポリンマットを提供することである。
【課題を解決するための手段】
【００１３】
上記の課題を解決するための本考案の手段は、請求項１の考案では、玄関マットまたはフロアマットなどの床マット２もしくは表示用媒体または広告宣伝用媒体などの壁マット３であるターポリンマット１において、ゴム４ｂもしくはエラストマー４ｃを基材としたベース基材４と、ベース基材４に載置した合成樹脂フィルムもしくはシート（以下、「合成樹脂シート８」という。）および編物１０ａもしくは織物１０ｂからなるターポリンフィルムもしくはシート（以下、「ターポリンシート６」という。）と、ターポリンシート６の表面を保護する透明なポリ塩化ビニルフィルムもしくはシート（以下、「透明なポリ塩化ビニルシート１１ａ」という。）からなる保護フィルムもしくはシート（以下、「保護シート１１」という。）を一体的に構成したことを特徴とする床マット２もしくは壁マット３を形成するターポリンマット１である。
【００１４】
請求項２の考案では、玄関マットまたはフロアマットなどの床マット２もしくは表示用媒体または広告宣伝用媒体などの壁マット３であるターポリンマット１において、ゴム４ｂもしくはエラストマー４ｃを基材としたベース基材４と、ベース基材４の表面の周囲の外縁部５内のベース基材４の凹入部４ａに嵌合載置した合成樹脂フィルムもしくはシート（以下、「合成樹脂シート８」という。）および編物１０ａもしくは織物１０ｂからなるターポリンフィルムもしくはシート（以下、「ターポリンシート６」という。）と、ターポリンシート６の表面を保護する透明なポリ塩化ビニルフィルムもしくはシート（以下、「透明なポリ塩化ビニルシート１１ａ」という。）からなる保護フィルムもしくはシート（以下、「保護シート１１」という。）を一体的に構成したことを特徴とする床マット２もしくは壁マット３を形成するターポリンマット１である。
【００１５】
請求項３の考案では、請求項１または２の手段の考案において、ターポリンシート６は地色が有色であり、有色のターポリンシート６の表面を所望の印刷面９とし、ゴム４ｂあるいはエラストマー４ｃからなるベース基材４の色をターポリンシート６の地色と同一の色とし、あるいはベース基材４の表面上の周囲に外縁部５を有し、外縁部５の内側のベース基材４の凹入部４ａにターポリンシート６を有するものでは、ベース基材４の周辺の外縁部５の内周端面５ａとターポリンシート６の外周端面６ａとの隙間７を同一の色から形成し、もしくは、ターポリンシート６とゴム４ｂもしくはエラストマー４ｃからなるベース基材４の加硫による一体成型にてゴム４ｂもしくはエラストマー４ｃからなるベース基材４の外縁部５の内周端面５ａとターポリンシート６の外周端面６ａとの隙間７を無くした構成とし、ターポリンシート６の表面の印刷面９を保護する透明なポリ塩化ビニルシート１１ａからなる保護シート１１とから一体的に構成したことを特徴とする床マット２もしくは壁マット３を形成するターポリンマット１である。
【００１６】
請求項４の考案では、請求項３の手段の考案において、ターポリンシート６の表面の印刷面９を保護する透明なポリ塩化ビニルシートシート１１ａからなる保護シート１１は、表面を艶消しに形成していることを特徴とする請求項３の手段の床マット２もしくは壁マット３を形成するターポリンマット１である。
【００１７】
請求項５の考案では、請求項４の手段の考案において、ターポリンシート６の表面の印刷面９を保護する透明なポリ塩化ビニルシート１１ａからなる表面を艶消しに形成した保護シート１１に替えて、ターポリンシート６の表面の印刷面９を保護する透明なポリ塩化ビニルシート１１ａからなる保護シート１１は、表面に０．１ｍｍ以上のエンボス状の凹凸１１ｂを形成した表示面として、ターポリンシート６の表面の印刷面９の文字９ａもしくは図柄からなる画像を立体的に表示せしめたことを特徴とする床マット２もしくは壁マット３を形成するターポリンマット１である。
【考案の効果】
【００１８】
本考案は上記の構成としたことで、本考案のターポリンマットでは、表面に設けた保護シートで長時間にわたってターポリンマットの表面を保護し、表面に印刷した表示画像を鮮明に長期間維持でき、軽量であるので単独で床マットとでき、さらに周辺に外縁部を有しないターポリンマットでは、隣接して複数のターポリンマットを敷き詰めることで大面積の敷物用のフロアマットとすることもできる床マットであり、また、これらは表示用媒体や宣伝広告用媒体として壁掛け用の壁マットとしても使用でき、しかも、保護シートが艶消しを有するものでは見た目に柔らかな感触を覚え、さらに表面に凹凸を有する保護シートのものでは、保護シートの下部に描かれた文字や図柄を見た目に立体的に視覚でき、さらに製造時の作業性および生産性に優れた床マットもしくは壁マットであるターポリンマットであるなど、本考案は優れた効果を奏するものである。
【図面の簡単な説明】
【００１９】
【図１】床マットまたは壁マットであるターポリンマットの平面図で、（ａ）は周囲に外縁部の無いもの、（ｂ）は周囲に外縁部を有するものである。
【図２】ターポリンシートの構造を模式的に示す断面図である。
【図３】ベース基材とターポリンシートと保護シートからなるターポリンマットの模式的断面図で、（ａ）は周囲に外縁部の無いもの、（ｂ）は周囲に外縁部を有するものである。
【図４】周囲に外縁部の無いターポリンマットの形成工程を示す模式的断面図で、（ａ）は形成過程を、（ｂ）は成品を示す図である。
【図５】周囲に外縁部を有するターポリンマットの形成工程を示す模式的断面図で、（ａ）は形成過程を、（ｂ）は形成後を示す図である。
【図６】ターポリンマットの表面および下面にエンボス状の凹凸を形成する工程を周囲に外縁部を有するターポリンマットで代表して示す模式的断面図で、（ａ）は形成過程を、（ｂ）は成品を示す図である。
【考案を実施するための形態】
【００２０】
本考案の実施の形態について、図面を参照して以下に説明する。図２に模式的に示すように、フィラメント糸１０からなる編物１０ａあるいは織物１０ｂを、熱可塑性の合成樹脂シート８であるポリ塩化ビニルシート８ａで挟持してターポリンシート６を形成した。このターポリンシート６の下面にゴム４ｂもしくはエラストマー４ｃからなるベース基材４を設け、さらにターポリンシート６の上面に透明なポリ塩化ビニルシート１１ａである保護シート１１を設けて、図３の（ａ）あるいは（ｂ）の模式的断面に示すように、ターポリンマット１を形成している。なお、図３では、編物１０ａあるいは織物１０ｂを挟持しているポリ塩化ビニルシート８ａは図面上省略してターポリンシート６として示している。ところで、このターポリンシート６の表面は例えば白色とし、この表面の白色に、文字９ａや図柄を印刷して印刷面９とすることで、印刷面９をより鮮明なものとしている。なお、図１では文字９ａを印刷した印刷面９としている。このターポリンシート６の白色の表面である熱可塑性のポリ塩化ビニルシート８ａは印刷面９を形成する水溶性インクに対して良好な馴染みおよび密着性を有し、また溶剤系インクに対しても良好な馴染みおよび密着性を有している。さらに、図３の（ｂ）に示すように、ゴム４ｂもしくはエラストマー４ｃからなるベース基材４の表面の外周に、ターポリンシート６の外周よりも径が大きく、かつターポリンシート６の厚さｓだけ高められたベース基材４の外縁部５の内周端面５ａの内側のベース基材４の凹入部４ａに、ターポリンシート６を嵌合載置している。さらに、ターポリンシート６の上面であるポリ塩化ビニルシート８ａの表面を有するものあるいはポリ塩化ビニルシート８ａの表面に印刷面９を有するものでは、それらの表面を外縁部５を有する場合に外縁部５ともども保護する、特に表面の印刷面９を保護するために、透明なポリ塩化ビニルシート１１ａからなる保護シート１１で被覆している。これらのベース基材４、表面にポリ塩化ビニルシート８ａを有するターポリンシート６および透明なポリ塩化ビニルシート１１ａを熱プレス加工して熱融着により一体化して、図４の（ａ）および（ｂ）に示すターポリンマット１としている。
【００２１】
なお、ターポリンシート６は、熱可塑性のポリ塩化ビニルシート８ａにより編物１０ａあるいは織物１０ｂの上面のみを被覆したもの、あるいは編物１０ａあるいは織物１０ｂの両面を挟持して被覆したものでもよいが、この実施の形態では、図２に示すように、編物１０ａあるいは織物１０ｂの両面をポリ塩化ビニルシート８ａにより挟持して被覆したものを例として説明している。
【００２２】
このターポリンマット１において、図４の（ａ）に示すように、ゴム４ｂもしくはエラストマー４ｃからなるベース基材４の上に設けたターポリンシート６の上の最外層として、透明なポリ塩化ビニルシート１１ａからなる保護シート１１を設けることで、ベース基材４、ターポリンシート６、ターポリンシート６の上の透明なポリ塩化ビニルシート１１ａとした各素材を矢印に示すように重ね合わせた後、これらを熱プレス加工により一体成型して、ターポリンシート６とゴムもしくはエラストマーからなるベース基材４とその上の透明なポリ塩化ビニルシート１１ａの保護シート１１からなるターポリンマット１に形成している。
【００２３】
一方、ターポリンマット１として、ベース基材４の表面上に載置嵌合したターポリンシート６の外周端面６ａとの間に、図５の（ｂ）に示すように、隙間７が生じると、その隙間７が目立ってターポリンマット１の外観が悪くなる恐れがある。そこで、図５（ａ）に示すように、ゴム４ｂもしくはエラストマー４ｃからなるベース基材４の周囲に形成の外縁部５の内側のベース基材４の凹入部４ａの上に対するターポリンシート６の嵌合載置は、上記の隙間７が生じる外観の悪さを防止するために、ターポリンシート６にベース基材４と同じ色で縁取り印刷を行って、外観上の悪さを目立たなくするか、あるいは、同じ色による縁取り印刷に替えて、ターポリンシート６とゴム４ｂもしくはエラストマー４ｃからなるベース基材４とを一体成型を行うことによって、ターポリンシート６の外周端面６ａとゴム４ｂもしくはエラストマー４ｃからなるベース基材４の外縁部５の内周端面５ａとの間に、図３に示すように、隙間７を形成することなく当接したものとしている。この場合、一体成型はゴム４ｂもしくはエラストマー４ｃに加硫して熱融着している。さらに、ゴム４ｂもしくはエラストマー４ｃからなるベース基材４の上に設けたターポリンシート６の上の最外層として、透明なポリ塩化ビニルシート１１ａからなる保護シート１１を設けることで、ベース基材４、ポリ塩化ビニルシート８ａで挟持したターポリンシート６および最外層の保護シート１１である透明なポリ塩化ビニルシート１１ａの各素材を重ねて熱プレス加工により一体成型を行っている。この一体成型により、ゴム４ｂもしくはエラストマー４ｃからなるベース基材４に外縁部５を有するものでは、この外縁部５の内周端面５ａとターポリンシート６の外周端面６ａとの隙間７または該内周端面５ａに生じるケバを一体成型の熱融着により生じ無くして、外観上の向上を図って、ターポリンマット１に形成している。
【００２４】
このターポリンシート６を嵌合載置するベース基材４であるゴム４ｂまたはエラストマー４ｃとしては合成ゴムであるＮＢＲを用いる。この場合、ＮＢＲのゴム硬度は３０度〜８０度、特に敷物である床マット２とするときは、３０度〜６５度の範囲に設定することが好ましく、かつ、ベース基材４の裏面に、図６の（ｂ）に示すように、エンボス状の凹凸１１ｃを設けることで、床面に設置した際にターポリンマット１が床面に対して滑ってずれることを防止している。
【００２５】
さらに、ベース基材４に用いるゴム４ｂまたはエラストマー４ｃである合成ゴムのＮＢＲは、ターポリンシート６の外層面であるポリ塩化ビニルシート８ａおよび最上層である透明なポリ塩化ビニルシート１１ａである保護シート１１と熱融着性が良好であるので、接着剤を用いなくとも、ターポリンシート６および透明なポリ塩化ビニルシート１１ａはベース基材４であるＮＢＲに熱融着で圧着することができる。その結果、透明なポリ塩化ビニルシート１１ａからなる保護シート１１はターポリンシート６とベース基材４の外縁部５の上面から容易に剥離しない床マット２すなわちターポリンマット１に形成されている。このように、保護シート１１の透明なポリ塩化ビニルシート１１ａとしてターポリンシート６に用いたポリ塩化ビニルシート８ａと同じポリ塩化ビニルシートを採用したことで、当然の結果として、これらは熱融着により圧着できる。したがって、ターポリンマット１の製造工程において、接着剤などの固着するまで時間の掛かる処理剤を用いる必要がなく、熱融着するのみであるので一体化のため作業性が向上しており、製造コストの低減が図られる。
【００２６】
さらに、ターポリンマット１に表出される印刷された文字９ａもしくは図柄からなる画像が光や光源の反射あるいは室外における雨などの水滴よる反射により見えにくくなることを防ぎ、かつ画像に立体感を付与するために、保護シート１１である透明なポリ塩化ビニルシート１１ａの表面に、図６の（ｂ）に示すように、エンボス状の凹凸１１ｂを設けて、これらの表面における画像の表示を明確に見えるものとしている。この場合、ターポリンマット１の表面に設けたエンボス状の凹凸１１ｂは、単位面積当り２０個／ｃｍ2に設定して形成するものとしている。
【００２７】
また、ベース基材４のゴム４ｂまたはエラストマー４ｃに磁力を有する磁性粉を混入させることで、ベース基材４をラバーマグネット化し、鉄系の磁性を有する金属壁への貼り付けも可能とした壁マット３からなるターポリンマット１とすることもできる。
【実施例１】
【００２８】
この実施例１は請求項１の手段の実施例である。ターポリンシート６の構造は、図２に模式的に示すように、フィラメント糸１０からなる編物１０ａもしくは織物１０ｂと、これらを挟持している合成樹脂シート８をポリ塩化ビニルシート８ａとから形成した。このターポリンシート６の厚みは０．３ｍｍに形成した。さらに、このターポリンシート６を保護するために、図４の（ａ）に示すように、ターポリンシート６の上に被せた最表面の保護シート１１を透明なポリ塩化ビニルシート１１ａから形成した。ターポリンシート６を載置するあるいは嵌合載置するゴム４ｂまたはエラストマー４ｃからなるベース基材４は、合成ゴムであるＮＢＲから形成した。これらのベース基材４と、図２に示すフィラメント糸１０からなる編物１０ａもしくは織物１０ｂの両面をポリ塩化ビニルシート８ａで挟持して形成したターポリンシート６と、図４の（ａ）に示す最上層の透明なポリ塩化ビニルシート１１ａの保護シート１１とからなる三層は、それぞれ矢印方向に重ねて、ベース基材４の上にターポリンシート６を載置し、さらにその上から保護シート１１を被せることで、ターポリンシート６を被覆した後、加熱プレス機によって熱融着により一体成型して、図４の（ｂ）に示すように、ターポリンマット１に一体成型した。なお、ターポリンシート６の厚みが０．３ｍｍより厚くなりすぎると、熱融着による一体成型時にターポリンシート６を形成するフィラメント糸１０からなるパイルの下側のポリ塩化ビニルシート８ａとベース基材４のゴム４ｂ間の熱溶融による回り込みが悪くなり、さらにターポリンシート６の表面とその上の保護シート１１との間に空気が入った状態となって、ターポリンマット１の外観に見た目に不具合を生じた。
【実施例２】
【００２９】
この実施例２は請求項１の手段の他の実施例である。この実施例２では、上記の実施例１と異なって、合成ゴムであるＮＢＲから形成したベース基材４は、その上面の外周の部分に外縁部５を有し、外縁部５の内側のベース基材４の表面が、その上に載置するターポリンシート６の厚み０．３ｍｍの分だけ外縁部５の表面よりも低くなってベース基材４の凹入部４ａに形成されている。したがって、ターポリンシート６はベース基材４の凹入部４ａに嵌合載置される大きさからなっている。このターポリンシート６の構造は、上記の実施例１の構造と同じであるので説明を省略する。ところで、ベース基材４の凹入部４ａに嵌合載置されたターポリンシート６と該ターポリンシート６の周囲のベース基材４の外縁部５の表面を保護するための保護シート１１を透明なポリ塩化ビニルシート１１ａから形成した。さらに、ターポリンシート６を載置するあるいは嵌合載置するゴム４ｂまたはエラストマー４ｃからなるベース基材４を合成ゴムであるＮＢＲから形成した。これらのベース基材４と、図２に示すフィラメント糸１０からなる編物１０ａもしくは織物１０ｂの両面をポリ塩化ビニルシート８ａで挟持して形成したターポリンシート６と、透明なポリ塩化ビニルシート１１ａの保護シート１１とからなる三層を、図５の（ａ）に示すように、それぞれ矢印方向に重ねて、ベース基材４の周囲の上面の外縁部５の内部のベース基材４の凹入部４ａに嵌合載置したターポリンシート６とそれらの上を被覆した透明なポリ塩化ビニルシート１１ａからなる保護シート１１とから熱融着により一体成型した床マット２あるいは壁マット３であるターポリンマット１となっている。これらのターポリンマット１は単に接着剤で接着したものは、図５の（ｂ）に示すように、ベース基材４の外縁部５の内周端面５ａとターポリンシート６の外周端面６ａの両端面どうしの間に隙間７が形成される。しかし、フラットな加硫前のＮＢＲからなるベース基材４のゴムシートを加硫と同時に熱圧着することで一体化したものでは、隙間７が形成されることなく、したがってターポリンシート６の端部のフィラメント糸１０の解れのはみ出しによるケバが生じない。このためにケバを処理する工程も必要も無くなった。このことによりターポリンマット１の生産性は隙間７の有るものに比して向上した。なお、ターポリンシート６の厚みが０．３ｍｍより厚くなりすぎると、熱融着による一体成型時にターポリンシート６を形成するフィラメント糸１０からなるパイルの下側のポリ塩化ビニルシート８ａとベース基材４のゴム４ｂ間の熱溶融による回り込みが悪くなり、さらにターポリンシート６の表面とその上の保護シート１１との間に空気が入った状態となって、ターポリンマット１の外観に見た目に不具合を生じた。さらに、ベース基材４の周囲の外縁部５の表面と外縁部５の内側のターポリンシート６の表面との間に段差が生じ、その結果、ターポリンシート６の表面とその上の保護シート１１との間に空気が入り、ターポリンマット１の外観に見た目に不具合を生じた。
【実施例３】
【００３０】
この実施例３は請求項２の手段の実施例である。この実施例３は、ターポリンシート６の表面を形成するポリ塩化ビニルシート８ａからなる合成樹脂シート８にインクジェット方式の印刷により所望の文字９ａや図柄からなる画像の印刷面９を、図１に示すように、形成した。この印刷面９を形成したターポリンシート６の表面を透明なポリ塩化ビニルシート１１ａの保護シート１１を被せて所望の文字９ａや図柄からなる画像の印刷面９を保護した。このように、ターポリンシート６の表面を形成しているポリ塩化ビニルシート８ａを文字９ａや図柄からなる画像を有するポリ塩化ビニルシート８ａとしている以外は、上記の実施例１あるいは実施例２の構成と同様であり、これらの構成は省略した。
【実施例４】
【００３１】
この実施例４は請求項３の手段の実施例である。この実施例４は、実施例３と同様に、ターポリンシート６の表面に有する文字９ａまたは図柄からなる印刷面９を保護する透明なポリ塩化ビニルシート１１ａからなる保護シート１１を有するもので、その表面を艶消しに形成しているものである。この表面を艶消しにした保護シート１１を上記の実施例１〜実施例３と同様に形成し、玄関マットやフロアマットである床マット２の表面層にもしくは表示用媒体または広告宣伝用媒体の壁マット３の表面層に形成したターポリンマット１である。ところで、この保護シート１１の表面を艶消しに形成する方法は、透明なポリ塩化ビニルシート１１ａを熱成形によりターポリンシート６およびベース基材４と熱融着により一体化する際に、熱融着するための加圧成形装置の成形金型の上型の表面を艶消し面に形成し、この艶消し面を有する上型を用いて透明なポリ塩化ビニルシート１１ａの表面を熱融着することで、透明なポリ塩化ビニルシート１１ａの表面を消し１１ｂにした。このように、ターポリンシート６のポリ塩化ビニルシート８ａおよびその周囲のベース基材４の外縁部５の上を保護する透明なポリ塩化ビニルシート１１ａである保護シート１１の表面を艶消しに形成している以外の構成は、上記の実施例３の構成と同様である。
【実施例５】
【００３２】
この実施例５は請求項４の手段の実施例である。この実施例５では、ターポリンシート６の表面に形成した文字９ａまたは図柄からなる印刷面９を保護する透明なポリ塩化ビニルシート１１ａからなる保護シート１１は、図６の（ｂ）に示すように、表面を０．１ｍｍ以上のエンボス状の凹凸１１ｂに形成した。この表面をエンボス状の凹凸１１ｂに形成した保護シート１１を、上記の実施例１〜実施例３と同様にして形成した玄関マットやフロアマットである床マット２もしくは表示用媒体または広告宣伝用媒体の壁マット３であるターポリンマット１の表面層とした。ところで、この保護シート１１の表面をエンボス状の凹凸１１ｂに形成する方法は、図６の（ａ）に示すように、透明なポリ塩化ビニルシート１１ａを熱成形によりターポリンシート６およびベース基材４と一体化する際に、透明なポリ塩化ビニルシート１１ａである保護シート１１の表面を、エンボス状の凹凸１１ｂに形成したガラス繊維の０．１ｍｍ以上の撚り目を有するガラスクロス１２で覆って、加圧成形装置の上型により加圧成形して保護シート１１をターポリンシート６およびベース基材４に一体化した後、ガラスクロス１２を除去することにより、透明なポリ塩化ビニルシート１１ａの表面を、図６の（ｂ）に示す、０．１ｍｍ以上のエンボス状の凹凸１１ｂの面に形成した。この場合、離型性の良いフッ素樹脂で処理されたガラスクロス１２、もしくはフッ素樹脂の含浸されたガラスクロス１２を用いた。図６の（ｂ）に示すエンボス状の凹凸１１ｂの面を形成した保護シート１１の表面は、光や光源の反射あるいは室外における雨などの水滴よる反射により見えにくくなることが防止され、さらにターポリンシート６の表面に形成した文字９ａまたは図柄が立体的に見える床マット２もしくは表示用媒体または広告宣伝用媒体の壁マット３であるターポリンマット１が形成された。この０．１ｍｍ以上のエンボス状の凹凸１１ｂは単位面積当り２０個／ｃｍ2に設定して形成されている。この実施例５では、ベース基材４の周囲の外縁部５の上並びにこの外縁部５の内周端面５ａのベース基材の凹入部４ａに載置されたターポリンシート６の表面に形成しているポリ塩化ビニルシート８ａの上を透明なポリ塩化ビニルシート１１ａである保護シート１１で覆い、この保護シート１１である透明なポリ塩化ビニルシート１１ａの表面を艶消しに形成した実施例３に替えて、保護シート１１である透明なポリ塩化ビニルシート１１ａの表面をエンボス状の凹凸１１ｂに形成して覆った以外の構成は、上記の実施例３と同様の構成からなっている。
【実施例６】
【００３３】
この実施例６は請求項５の手段の実施例である。この実施例６において、ターポリンマット１が床マット２である場合、この床マット２を床面に敷いた際に滑らなくしたものである。そこで、図６の（ｂ）に示すように、床マット２のＮＢＲからなるゴム４ｂのベース基材４の裏面に、０．１ｍｍ以上のエンボス状の凹凸１１ｃを設けるものとしている。この他のターポリンマット１が床マット２の構造は、上記の請求項１〜５の手段と同様である。この場合も、０．１ｍｍ以上エンボス状の凹凸１１ｃは単位面積当り２０個／ｃｍ2に設定して形成されている。その形成方法は、図６の（ａ）に示すように、離型性の良いフッ素樹脂で処理もしくはフッ素樹脂を含侵したガラスクロス１２をゴム４ｂもしくはエラストマー４ｃからなるベース基材４の下面に用意し、金型の下型の上にこの用意したガラスクロス１２を載置し、エンボス状の凹凸１１ｃの凹凸面を利用してベース基材４の下面をプレス装置のプレスによる加圧成形により、図６の（ｂ）に示すように、エンボス状の凹凸１１ｃからなる凹凸面をベース基材４の下面に形成した。このエンボス状の凹凸１１ｃも単位面積当り２０個／ｃｍ2に設定して形成された。このようにベース基材４の裏面をエンボス状の凹凸１１ｃの面に形成して床マット２であるターポリンマット１とした。このように形成した床マット２は、裏面に設けたエンボス状の凹凸１１ｃにより床面に敷いたときに容易に滑らなくなり安全なものとなった。
【符号の説明】
【００３４】
１  ターポリンマット
２  床マット
３  壁マット
４  ベース基材
４ａ  凹入部
４ｂ  ゴム
４ｃ  エラストマー
５  外縁部
５ａ  内周端面
６  ターポリンシート
６ａ  外周端面
７  隙間
８  合成樹脂シート
８ａ  ポリ塩化ビニルシート
９  印刷面
９ａ  文字
１０  フィラメント糸
１０ａ  編物
１０ｂ  織物
１１  保護シート
１１ａ  透明なポリ塩化ビニルシート
１１ｂ  エンボス状の凹凸
１１ｃ  エンボス状の凹凸
１２  ガラスクロス
【図１】
0003155245.tif 000003
【図２】
0003155245.tif 000004
【図３】
0003155245.tif 000005
【図４】
0003155245.tif 000006
【図５】
0003155245.tif 000007
【図６】
0003155245.tif 000008
【手続補正書】
【提出日】平成21年9月2日(2009.9.2)
【手続補正１】
【補正対象書類名】実用新案登録請求の範囲
【補正対象項目名】請求項３
【補正方法】変更
【補正の内容】
【請求項３】
請求項１または２に記載のターポリンマット（１）において、ターポリンシート（６）は地色が有色であり、有色のターポリンシート（６）の表面を所望の印刷面（９）とし、ゴム（４ｂ）あるいはエラストマー（４ｃ）からなるベース基材（４）の色をターポリンシート（６）の地色と同一の色とし、あるいはベース基材（４）の表面上の周囲に外縁部（５）を有し、外縁部（５）の内側のベース基材（４）の凹入部（４ａ）にターポリンシート（６）を有するものでは、ベース基材（４）の周辺の外縁部（５）の内周端面（５ａ）とターポリンシート（６）の外周端面（６ａ）との隙間（７）を同一の色から形成し、もしくは、ターポリンシート（６）とゴム（４ｂ）もしくはエラストマー（４ｃ）からなるベース基材（４）の加硫による一体成型にてゴム（４ｂ）もしくはエラストマー（４ｃ）からなるベース基材（４）の外縁部（５）の内周端面（５ａ）とターポリンシート（６）の外周端面（６ａ）との隙間（７）を無くした構成とし、ターポリンシート（６）の表面の印刷面（９）を保護する透明なポリ塩化ビニルシート（１１ａ）からなる保護シート（１１）とから一体的に構成したことを特徴とする床マット（２）もしくは壁マット（３）を形成するターポリンマット（１）。
【手続補正２】
【補正対象書類名】実用新案登録請求の範囲
【補正対象項目名】請求項４
【補正方法】変更
【補正の内容】
【請求項４】
請求項３に記載のターポリンマット（１）において、ターポリンシート（６）の表面の印刷面（９）を保護する透明なポリ塩化ビニルシート（１１ａ）からなる保護シート（１１）は、表面を艶消しに形成していることを特徴とする床マット（２）もしくは壁マット（３）を形成するターポリンマット（１）。
【手続補正３】
【補正対象書類名】実用新案登録請求の範囲
【補正対象項目名】請求項５
【補正方法】変更
【補正の内容】
【請求項５】
請求項４に記載のターポリンマット（１）において、ターポリンシート（６）の表面の印刷面（９）を保護する透明なポリ塩化ビニルシート（１１ａ）からなる表面を艶消しに形成した保護シート（１１）に替えて、ターポリンシート（６）の表面の印刷面（９）を保護する透明なポリ塩化ビニルシート（１１ａ）からなる保護シート（１１）は、表面に０．１ｍｍ以上のエンボス状の凹凸（１１ｂ）を形成した表示面として、ターポリンシート（６）の表面の印刷面（９）の文字（９ａ）もしくは図柄（９ｂ）からなる画像を立体的に表示せしめたことを特徴とする床マット（２）もしくは壁マット（３）を形成するターポリンマット（１）。